(57)【要約】【課題】亀頭部を必要以上に強く締め付けることがなく、吸湿性が高くて亀頭部表面との間の摩擦力が低下することもなく、これらのことから装着感触が良好で且つ効果的に早漏の防止又は軽減化を図ることができる男性機能改善用具を提供すること。【解決手段】勃起時のペニス亀頭部２０１を覆う形状の亀頭部覆い部１１と、ペニス２００の根元部２０３を覆う形状の根元部覆い部３１とを一体に形成してなる男性機能改善用具１である。亀頭部覆い部１１と根元部覆い部３１を吸湿性及び伸縮性を有する布によって形成する。さらにリング形状であってその一部に離脱部１０１を設けてなる装着補助リング１００に、根元部覆い部３１をその端部３７側から巻き付ける。【選択図】図１
2014033796.tif 000002
【特許請求の範囲】
【請求項１】
勃起時のペニス亀頭部を覆う形状の亀頭部覆い部と、ペニスの根元部を覆う形状の根元部覆い部とを一体に形成してなる男性機能改善用具であって、
少なくとも前記亀頭部覆い部を、吸湿性及び伸縮性を有する布によって形成したことを特徴とする男性機能改善用具。
【請求項２】
請求項１に記載の男性機能改善用具であって、
前記根元部覆い部は筒形状であってその一端側が前記亀頭部覆い部に接続されており、且つこの根元部覆い部も吸湿性及び伸縮性を有する布によって形成されていることを特徴とする男性機能改善用具。
【請求項３】
請求項２に記載の男性機能改善用具であって、
前記男性機能改善用具はさらに、リング形状であってその一部に切り欠きからなる離脱部を設けてなる装着補助リングを具備し、この装着補助リングを前記根元部覆い部の端部に配置してこの根元部覆い部をその端部側から亀頭部覆い部側に向かって装着補助リングに巻き付けてなることを特徴とする男性機能改善用具。
【請求項４】
請求項３に記載の男性機能改善用具のペニスへの装着方法であって、
勃起したペニス亀頭部の先端に、前記装着補助リングに巻き付けた根元部覆い部の端部を当接してペニス亀頭部を通過させ、これによってペニス亀頭部に亀頭部覆い部を装着する工程と、
装着補助リングから根元部覆い部を解きながら装着補助リングをペニスの根元側に移動することでペニスの根元部に根元部覆い部を装着する工程と、
根元部覆い部から露出した装着補助リングをその離脱部の幅を広げるように変形することでペニスから取り外す工程と、を具備することを特徴とする男性機能改善用具のペニスへの装着方法。
【発明の詳細な説明】
【技術分野】
【０００１】
本発明は、男性の早漏を防止又は軽減するのに用いて好適な男性機能改善用具に関するものである。
【背景技術】
【０００２】
従来、性生活において、勃起はするが早漏のため、男女双方の満足が得られないという問題があった。この早漏を防止する方法として従来各種手段が考えられており、例えば特許文献１に示すように、弾性に富んだ伸縮性のある材質（具体的にはシリコンゴム）からなりペニス亀頭部（以下「亀頭部」という）に被せることで亀頭部への刺激を軽減させる構造の男性機能改善用具が提案されている。この男性機能改善用具をペニスの亀頭部に装着すれば、亀頭部への刺激が軽減されるので、早漏を軽減できる。なお男性機能改善用具を装着したペニスには、通常その上からコンドームが装着される。
【先行技術文献】
【特許文献】
【０００３】
【特許文献１】特開２００４−２６１２５７号公報
【発明の概要】
【発明が解決しようとする課題】
【０００４】
しかしながら上記特許文献１に記載の男性機能改善用具には、以下のような問題があった。
（１）特許文献１の男性機能改善用具はその材質としてシリコンゴムを使用している。しかしながらこの種の男性機能改善用具は、所定の厚みが必要で、通常のコンドームの厚みよりもかなり厚くする必要があるので、シリコンゴムのような弾性に富んだ材料を用いた場合、厚みが厚い分、弾性力が強くなりすぎ、亀頭部を必要以上に強く締め付けることで圧迫感を生じ、装着感触があまり良くないという問題があった。また亀頭部を必要以上に締め付けることでその圧迫刺激が強くなり、逆に早漏の軽減化を阻害する恐れもあった。
【０００５】
（２）シリコンゴムは吸湿性に乏しいため、性交時に発生する体液が亀頭部表面と男性機能改善用具の間に溜まり、両者間の摩擦力が低下し、この男性機能改善用具が性交時に亀頭部に対してずれ動いたり、最悪の場合は亀頭部から外れてしまう恐れがあった。このような摩擦力の低下を防止するために亀頭部を強く締め付けるように構成すると、上記（１）の場合と同様に強い圧迫感が生じ、装着感触が良くなくなるという問題も生じる。
【０００６】
本発明は上述の点に鑑みてなされたものでありその目的は、亀頭部を必要以上に強く締め付けることがなく、また吸湿性が高くて亀頭部表面との間の摩擦力が低下することもなく、これらのことから装着感触が良好で、且つ効果的に早漏の防止又は軽減化を図ることができる男性機能改善用具を提供することにある。
【課題を解決するための手段】
【０００７】
本発明にかかる男性機能改善用具は、勃起時のペニス亀頭部を覆う形状の亀頭部覆い部と、ペニスの根元側の根元部を覆う形状の根元部覆い部とを一体に形成してなる男性機能改善用具であって、少なくとも前記亀頭部覆い部を、吸湿性及び伸縮性を有する布によって形成している。このように男性機能改善用具によってペニスを覆うので、性交時の亀頭部への刺激が軽減され、早漏を効果的に軽減または防止することができる。特に本発明は、亀頭部覆い部を布によって形成したので伸縮性に富み、ペニスの表面にぴったり密着して取り付けることができる。一方性交時の刺激軽減のために前記布の厚みを厚く形成してもシリコンゴムなどのように弾性力が強くなりすぎることもなく、適度な圧迫感を維持できて装着感触を良好に保てる。つまり亀頭部覆い部の厚みを厚くしても、その装着感触を良好にできるので、性交時の亀頭部への刺激をより効果的に軽減でき、早漏をより効果的に軽減または防止できる。
また布は吸湿性が良いので、性交時に発生する体液が男性機能改善用具に吸収され、これによって亀頭部表面と男性機能改善用具間の摩擦力（両者間の固定力）が低下することはなく常時適度な状態に維持され、男性機能改善用具がその使用時に亀頭部に対してずれ動くことがなくなる。言い換えれば、体液によって男性機能改善用具がずれることがないので、摩擦力の低下を防止するために亀頭部を強く締め付ける必要がなく、この点からも装着感触を良好に維持することができる。
【０００８】
また本発明は、前記根元部覆い部を筒形状であってその一端側を前記亀頭部覆い部に接続し、且つこの根元部覆い部も吸湿性及び伸縮性を有する布によって形成することが好ましい。このように根元部覆い部を布によって形成したので、前記亀頭部覆い部の場合と同様に、伸縮性に富み、ペニスの根元部の表面にぴったり密着して取り付けることができる。一方性交時の刺激軽減のために前記布の厚みを厚く形成してもシリコンゴムなどのように弾性力が強くなりすぎることもなく、適度な圧迫感を維持できて装着感触を良好に保てる。つまり根元部覆い部の厚みを厚くしても、その装着感触を良好にできるので、性交時の根元部への刺激をより効果的に軽減でき、早漏をより効果的に軽減または防止できる。
また前記亀頭部覆い部の場合と同様に、布は吸湿性が良いので、性交時に発生する体液が男性機能改善用具に吸収され、これによって根元部表面と男性機能改善用具間の摩擦力（両者間の固定力）が低下することはなく常時適度な状態に維持され、男性機能改善用具がその使用時に根元部に対してずれ動くことがなくなる。言い換えれば、体液によって男性機能改善用具がずれることがないので、摩擦力の低下を防止するために根元部を強く締め付ける必要がなく、この点からも装着感触を良好に維持することができる。
【０００９】
また本発明は、前記男性機能改善用具がさらに、リング形状であってその一部に切り欠きからなる離脱部を設けてなる装着補助リングを具備し、この装着補助リングを前記根元部覆い部の端部に配置してこの根元部覆い部をその端部側から亀頭部覆い部側に向かって装着補助リングに巻き付けることが好ましい。この装着補助リングを用いれば、男性機能改善用具を容易にコンパクトに収納しておくことが可能になる。且つこの男性機能改善用具を容易にペニスに装着することが可能になる。
【００１０】
また本発明は、勃起したペニス亀頭部の先端に、前記装着補助リングに巻き付けた根元部覆い部の端部を当接してペニス亀頭部を通過させ、これによってペニス亀頭部に亀頭部覆い部を装着する工程と、装着補助リングから根元部覆い部を解きながら装着補助リングをペニスの根元側に移動することでペニスの根元部に根元部覆い部を装着する工程と、根元部覆い部から露出した装着補助リングをその離脱部の幅を広げるように変形することでペニスから取り外す工程とによって男性機能改善用具をペニスへ装着することが好ましい。この方法によって男性機能改善用具をペニスに装着すれば、その装着が容易に行えるようになる。
【発明の効果】
【００１１】
本発明によれば、亀頭部を必要以上に強く締め付けることがなく、また吸湿性が高くて亀頭部表面との間の摩擦力が低下することもなく、これらのことから装着感触が良好で、且つ効果的に早漏の防止又は軽減化を図ることができる。
【図面の簡単な説明】
【００１２】
【図１】男性機能改善用具１の構成部品を示す側面図である。
【図２】装着補助リング１００の正面図である。
【図３】男性機能改善用具本体１０に装着補助リング１００を取り付けた状態の男性機能改善用具１を示す側面図である。
【図４】男性機能改善用具１の装着方法説明図である。
【図５】男性機能改善用具１の装着方法説明図である。
【図６】男性機能改善用具１の装着方法説明図である。
【図７】男性機能改善用具１の上にコンドーム３００を装着した状態を示す図である。
【図８】男性機能改善用具１−２の側面図である。
【図９】図９（ａ）は液吸収体５０の正面図、図９（ｂ）は液吸収体５０の側面図である。
【発明を実施するための形態】
【００１３】
以下、本発明の実施形態を図面を参照して詳細に説明する。
図１は本発明の一実施形態にかかる男性機能改善用具（早漏改善用具）１の構成部品を示す側面図である。同図に示すように男性機能改善用具１は、男性機能改善用具本体１０と、装着補助リング１００とを具備して構成されている。
【００１４】
男性機能改善用具本体１０は、亀頭部覆い部１１と根元部覆い部３１とを有して構成されている。亀頭部覆い部１１は、勃起時のペニス亀頭部を覆う形状であり、吸湿性及び伸縮性を有する布（織物、編み物、レース、不織布等）によって形成され、その材質としては例えば絹、木綿、麻、モヘヤ、ウール、カシミヤ、合成繊維（ナイロン、ポリウレタン、ポリエステル、フィストップ等）等、又はこれらの混合物が用いられる。布の性質としては、伸縮性があってペニス亀頭部を適度に圧迫し、これによってペニス亀頭部の表面にぴったり密着し、且つ吸湿性のある性質のものが好適である。
【００１５】
根元部覆い部３１は、勃起時のペニスの亀頭部よりも根元側の部分（根元部）を覆う筒形状であり、その一端側が前記亀頭部覆い部１１に接続されている。根元部覆い部３１は、亀頭部覆い部１１と同様に、吸湿性及び伸縮性を有する布（織物、編み物、レース、不織布等）によって形成され、その材質としては例えば絹、木綿、麻、モヘヤ、ウール、カシミヤ、合成繊維（ナイロン、ポリウレタン、ポリエステル、フィストップ等）等、又はこれらの混合物が用いられる。布の性質も、伸縮性があって根元部を適度に圧迫し、これによって根元部の表面にぴったり密着し、且つ吸湿性のある性質のものが好適である。また根元部覆い部３１には、その所定位置（所定間隔をおいた複数か所）にリング状の締め付け部３３を設けている。これら締め付け部３３はゴム材製であり、布製の根元部覆い部３１による締め付け力よりも強い締め付け力を有している。根元部覆い部３１の亀頭部覆い部１１を接続した反対側の端部は、ペニス挿入口３５となっている。なお締め付け部３３は根元部覆い部３１を構成する布によって十分な締め付け力が得られる場合は、必ずしも設ける必要はない。
【００１６】
以上説明したように、この男性機能改善用具１においては、亀頭部覆い部１１と根元部覆い部３１の両者を布によって構成しているが、亀頭部覆い部１１を構成する布を、根元部覆い部３１を構成する布に比べて、目が小さく、表面の滑らかなものを使用している。
【００１７】
亀頭部覆い部１１と根元部覆い部３１間は、両者を縫い合わせることによって連結している。なお亀頭部覆い部１１と根元部覆い部３１の両者を構成する布として同一のものを用いる場合は、両者を縫い合わせるのではなく、一体に形成しても良い。
【００１８】
図２は装着補助リング１００の正面図（図１の装着補助リング１００を左側から見た図）である。装着補助リング１００は鉄などの金属や合成樹脂の成形品等によって形成されており、細い線材を円形のリング形状に形成し、且つリングの一部に切り欠きからなる離脱部１０１を設けて構成されている。離脱部１０１の幅Ｌは根元部覆い部３１の径よりも小さい寸法に形成され、離脱部１０１の幅Ｌを広げるように装着補助リング１００を弾性変形させることで、根元部覆い部３１の径よりも大きい寸法になるように、装着補助リング１００の材質と線径を構成している。
【００１９】
図３は男性機能改善用具本体１０に装着補助リング１００を取り付けた状態の男性機能改善用具１を示す側面図である。男性機能改善用具本体１０への装着補助リング１００の取り付けは、図１において男性機能改善用具本体１０の根元部覆い部３１の端部（ペニス挿入口３５側の端部）３７を装着補助リング１００に挿入し、根元部覆い部３１をその端部３７側から亀頭部覆い部１１側に向かって装着補助リング１００に巻き付けることによって行われる（巻き付け方向を図３の矢印Ａ１で示す）。なお男性機能改善用具本体１０への装着補助リング１００の取り付け方法は上記方法に限定されず、他の各種異なる取り付け手順を用いて取り付けても良いことはいうまでもない。
【００２０】
次に男性機能改善用具１のペニスへの装着方法を説明する。まず図４において、勃起したペニス２００の先端に、装着補助リング１００に巻き付けた根元部覆い部３１の端部を当接し、次に装着補助リング１００とこれに巻き付けた根元部覆い部３１両者の内径を広げるように弾性変形させながらペニス亀頭部２０１を通過させ（ペニス亀頭部２０１は柔軟性があるので容易に変形し、根元部覆い部３１の内径はそれほど拡大しなくても通過する）、これによって図５に示すようにペニス亀頭部２０１に亀頭部覆い部１１を装着する（工程１）。
【００２１】
次に根元部覆い部３１を図５に矢印Ａ２で示すように回転することで、装着補助リング１００をペニス２００の根元部２０３の根元側に移動してゆき、同時に装着補助リング１００から根元部覆い部３１を解く。これによって図６に示すようにペニス２００の根元部２０３に根元部覆い部３１が装着される（工程２）。
【００２２】
次に根元部覆い部３１から露出した装着補助リング１００を図６の矢印Ｂ方向に引き抜くことで、図２に示す離脱部１０１の幅Ｌを広げるように弾性変形させてペニス２００から取り外す（工程３）。これによって男性機能改善用具１（男性機能改善用具本体１０）のペニス２００への装着作業が完了する。
【００２３】
この男性機能改善用具１は、亀頭部覆い部１１及び根元部覆い部３１を布によって形成したので伸縮性に富み、ペニス２００の表面にぴったり密着して取り付けることができる。一方性交時の刺激軽減のために前記布の厚みを厚く形成してもシリコンゴムなどのように弾性力が強くなりすぎることもなく、適度な圧迫感を維持できて装着感触を良好に保てる。つまり亀頭部覆い部１１及び根元部覆い部３１の厚みを厚くしても、その装着感触を良好にできるので、性交時の亀頭部２０１及び根元部２０３への刺激をより効果的に軽減でき、早漏をより効果的に軽減または防止できる。
【００２４】
即ち図７に示すように、男性機能改善用具１の上からコンドーム３００を装着し、性交を行う際、男性機能改善用具１によってペニス２００が覆われているので、性交時の亀頭部２０１やその根元部２０３（つまりペニス２００全体）への刺激が軽減され、早漏を効果的に軽減または防止することができる。
【００２５】
また男性機能改善用具１を構成する布は吸湿性が良いので、性交時に発生する体液が男性機能改善用具１に吸収され、これによって亀頭部２０１表面やその根元部２０３表面と男性機能改善用具１間の摩擦力（両者間の固定力）が低下することはなく常時適度な状態に維持され、男性機能改善用具１がその使用時に亀頭部２０１やその根元部２０３表面に対して動くことがなくなる。言い換えれば、体液によって男性機能改善用具１がずれることがないので、摩擦力の低下を防止するために亀頭部２０１や根元部２０３を強く締め付けるように構成する必要がなく、この点からも装着感触を良好に維持することができる。
【００２６】
また男性機能改善用具１を布によって構成したので、保温性が高く、これをペニスに装着する際、冷たく感じることはなく、装着時の感触が良好になる。また性交時には装着した本人だけでなく相手方にも熱が伝わって両者で温もりを感じ、これによって両者により一体感が生じる。これらの効果は特に冬場において有効である。なお早漏防止用の高価な薬剤を使用しなくても良くなり、また薬剤による副作用も防止できる。
【００２７】
またこの男性機能改善用具１によれば、装着補助リング１００を用いたので、男性機能改善用具１を容易にコンパクトに収納しておくことが可能になる。且つこの男性機能改善用具１を容易にペニス２００に装着することが可能になる。
【００２８】
図８は本発明の他の実施形態に係る男性機能改善用具１−２の側面図である。同図に示す男性機能改善用具１−２において、前記図１〜図７に示す男性機能改善用具１と同一又は相当部分には同一符号を付す。なお以下で説明する事項以外の事項については、前記図１〜図７に示す実施形態と同じである。男性機能改善用具１−２において前記男性機能改善用具１と相違する点は、亀頭部覆い部１１の先端に開口１３を設け、この開口１３を塞ぐように亀頭部覆い部１１の内側に液吸収体５０を取り付けた点と、根元部覆い部３１の端部３７の左右両側位置（図８では手前側の１つのみ示す）にリング挿入孔３９を設け、これら一対のリング挿入孔３９に端部３７の外周に挿入した装着補助リング１００の両端を挿入した点である。
【００２９】
ここで図９は液吸収体５０を示す図である。同図に示すように液吸収体５０は吸収材を円形の板状に形成し、その内部にスリット状の貫通孔からなる液導通部５１を複数設けて構成されている。液吸収体５０を構成する吸収材としては、例えば紙おむつに使用される吸収材（例えば高分子吸収ポリマーと粉砕パルプからなる）が使用されるが、他の各種材料を用いても良い。この液吸収体５０は前述のように亀頭部覆い部１１の内側の開口１３を設けた部分にこれを塞ぐように接着剤などによって取り付けられる。このとき液吸収体５０の液導通部５１は開口１３内に露出する（図８では図示の都合上、液導通部５１の記載を省略している）。
【００３０】
一方、装着補助リング１００は、図８に示すように、根元部覆い部３１の端部３７の外周に挿入され、その際、装着補助リング１００の両端部分をそれぞれ根元部覆い部３１の左右のリング挿入孔３９に挿入する。このように装着補助リング１００の両端をリング挿入孔３９に挿入しておけば、装着補助リング１００と根元部覆い部３１間の係止が確実に行え、装着補助リング１００への根元部覆い部３１の巻き付け作業が容易に行えるようになる。
【００３１】
そしてこの男性機能改善用具１−２を勃起したペニス２００に前記実施形態と同様の方法にて装着し、さらに図７に示すようにその上にコンドーム３００を装着する。そして性交を行うことでペニス２００の先端から精液が射出されると、精液の一部は液吸収体５０に吸着される。吸着されない精液は液吸収体５０の液導通部５１と開口１３を通過してコンドーム３００の精液溜りに溜まる。つまりこの男性機能改善用具１−２によれば、射精された精液の量が多くて亀頭部覆い部１１を構成する布の保水力だけでは足りない場合でも、液吸収体５０による精液の吸収及びコンドーム３００内への精液の放出により、男性機能改善用具１−２内が精液でべとつく不快感を防止できる。なお場合によっては液吸収体５０は亀頭部覆い部１１の外側（開口１３を塞ぐ位置）に取り付けても良い。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記男性機能改善用具１では亀頭部覆い部１１と根元部覆い部３１の両者を吸湿性及び伸縮性を有する布によって形成したが、亀頭部覆い部１１のみをこのような布によって構成しても良い。この場合、根元部覆い部３１は例えば弾性ゴム製等であっても良い。また上記例ではペニス２００に装着した男性機能改善用具１の上にコンドーム３００を装着したが、避妊を行わないのであれば、コンドーム３００を装着しないで使用しても良い。また厚みの異なる男性機能改善用具１を複数用意し、早漏が激しい人の場合は厚みの厚いものを使用し、早漏がそれほど激しくない人（または早漏が改善されてきた人）の場合は厚みの薄いものを使用するようにしても良い。即ち症状に応じた厚みのものが使用できるようにしても良い。また装着補助リング１００は場合によっては使用しなくても良い。また装着補助リング１００はその離脱部１０１を広げる際に必ずしも弾性変形する材質、線径でなくても良く、つまり塑性変形する材質、線径であっても良い。なお上記各実施形態で図示した男性機能改善用具１，１−２は、分かり易く記載するため、その寸法を勃起したペニス２００の寸法に合わせて大きく図示しているが、伸縮性のある布で構成している部分はペニス２００を挿入していない状態ではもっと縮んで小さくしぼんだ状態となっている。
【符号の説明】
【００３３】
１  男性機能改善用具
１１  亀頭部覆い部
３１  根元部覆い部
３３  締め付け部
３５  ペニス挿入口
３７  根元部覆い部３１の端部
１００  装着補助リング
１０１  離脱部
２００  ペニス
２０１  亀頭部（ペニス亀頭部）
２０３  根元部
１−２  男性機能改善用具
【図１】
2014033796.tif 000003
【図２】
2014033796.tif 000004
【図３】
2014033796.tif 000005
【図４】
2014033796.tif 000006
【図５】
2014033796.tif 000007
【図６】
2014033796.tif 000008
【図７】
2014033796.tif 000009
【図８】
2014033796.tif 000010
【図９】
2014033796.tif 000011